(57)【要約】【課題】眼鏡の鼻や顔や耳への負担を軽減させるために、側頭部で保持させる。眼鏡の後方への移動を耳で阻止させる。眼鏡の保持部が外観から目立ち難い側頭部の頭髪に入り込んで、頭の地肌に当接して挟持させる。着脱が容易で装着感が良く、安定して長期間装着できる眼鏡を提供することを課題とする。【課題を解決するための手段】眼鏡を装着したときに、耳の上部前端にフレームより外側に突出して当接し、前記眼鏡の後方への移動を阻止する耳パッドと、前記眼鏡のフレーム下部のもみあげの中の凹部を押さえるもみあげ押え部とが、前記フレームに備えられている構成である。【選択図】    図１
2020076798.tif 000002
【特許請求の範囲】
【請求項１】
眼鏡を装着したときに、耳の上部前端に当接して前記眼鏡の後方への移動を阻止する耳パッドと、前記眼鏡のフレーム下部のもみあげを押さえるもみあげ押え部とが、前記フレームに備えられている眼鏡。
【請求項２】
前記もみあげ押え部が、前記耳パッドから前方に伸びている又は、前記耳パッド又はフレームから前方下方に伸びて、さらに、Ｕターンして後方に伸びている請求項１に記載の眼鏡。
【請求項３】
前記耳パッド及び／又は、前記もみあげ押え部が、前記眼鏡のフレームに対し、着脱自在である請求項１又は２に記載の眼鏡。
【請求項４】
前記耳パッド後方には、さらに少なくとも一本の側頭押え部が設けられている請求項１から３の何れかに記載の眼鏡。
【請求項５】
前記耳パッド及び／又は、前記もみあげ押え部及び／又は、前記側頭押え部が、ヘアピン状に又は、棒状に又は、櫛状に又は、輪状に押える部材である請求項１から４の何れかに記載の眼鏡。
【請求項６】
前記耳パッド及び／又は、前記もみあげ押え部及び／又は、側頭押え部に、髪の間に分け入って地肌に接する複数の突起部が設けられている請求項１から５の何れかに記載の眼鏡。
【請求項７】
前記耳パッド及び／又は、前記もみあげ押え部及び／又は、前記側頭押え部のそれぞれの地肌に接する部位に、ラバー材が設けられている請求項１から６の何れかに記載の眼鏡。
【請求項８】
前記耳パッド及び／又は、前記もみあげ押え部及び／又は、前記側頭押え部は、前記フレームに対して姿勢変更可能に又は、凹部に嵌るように変形する可塑性を有する部材で形成されている請求項１から７の何れかに記載の眼鏡。
【請求項９】
前記耳パッド及び／又は、前記もみあげ押え部及び／又は、前記側頭押え部は、前記フレームに対して、上下方向及び／又は、水平方向に角度調整可能に取り付けられている請求項１から８の何れかに記載の眼鏡。
【請求項１０】
前記耳パッド及び／又は、前記もみあげ押え部及び／又は、前記側頭押え部の材質がエラストマーからなる請求項１から９の何れかに記載の眼鏡。
【請求項１１】
前記耳パッド及び／又は、前記もみあげ押え部及び／又は、前記側頭押え部の材質がヘアピンからなる請求項１から１０の何れかに記載の眼鏡。
【請求項１２】
少なくとも頭頂部と顎を押える側頭挟持部が、前記左右の前記フレームを架橋して、前記フレーム又は、前記もみあげ押え部又は、耳パッド又は、前記側頭押え部に着脱自在に取り付けられている請求項１から１１の何れかに記載の眼鏡。
【請求項１３】
前記眼鏡に、双眼鏡、顕微鏡、ヒアラブル端末、ウエアラブル機器、耳つぼ押え具、骨伝導補聴器、マスク係止具、アクセサリーの何れかが取り付けられている請求項１から１２の何れかに記載の眼鏡。
【発明の詳細な説明】
【技術分野】
【０００１】
本発明は、顔や鼻や耳に負担を掛けず、位置決めが容易、着脱が容易、装着感が良い眼鏡に関する。
【背景技術】
【０００２】
従来、眼鏡はモダンを耳の耳介側頭溝に掛けて、鼻パッドを使用して装着しているので、レンズ部に取り付けた鼻パッドは、鼻に負担をかけている。近年、この鼻パッドを取り外した眼鏡が考案されている。この眼鏡を保持するために、保持部をこめかみや頬や頬骨弓部上の凹部に当接させて挟持しているが、これらの保持部だけで眼鏡の位置を正確に決めて保持することはできない。また、こめかみや頬に当接した部分は変色して跡が残る。これらの方法で眼鏡を保持することを継続させるための構造には、さらなる改良を必要とする。
【０００３】
この問題に対しては、特許文献１は、眼鏡のフレームから下方に設けられた、もみあげを押える下前押え部に、髪の間に分け入って地肌に接する複数の突起部を備え、前記突起部の表面には、該突起部間に分け入った髪を保持するラバー材を設けた構造である。しかし、眼鏡を保持するために、表面にラバー材を設けた複数の突起部が、髪の間に分け入ってもみあげの凹部に当接しているが、鼻パッドが顔の一部分に当接しているように、確実に眼鏡の位置を決めて後方向への移動を阻止することはできない。
【先行技術文献】
【特許文献】
【０００４】
【特許文献１】特許第６４１３０５２号
【発明の概要】
【発明が解決しようとする課題】
【０００５】
眼鏡は、レンズや機器の重量が鼻や顔の柔らかい皮膚面を押圧し、鼻パッドや眼鏡の保持部が当接した部分は変色して跡が残る。また、眼鏡の保持部が外観から目立つ顔面にある。そうした製品を長期間装着することが問題であることは変わらない。本発明は、こうした問題を解決しようとするもので、眼鏡の鼻や顔や耳への負担を軽減させるために、側頭部で保持させる。眼鏡の後方への移動を耳で阻止させる。眼鏡の保持部が外観から目立ち難い側頭部の頭髪に入り込んで、頭の地肌に当接して挟持させる。着脱が容易で装着感が良く、安定して長期間装着できる眼鏡を提供することを課題とする。
【課題を解決するための手段】
【０００６】
第１発明の眼鏡は、眼鏡を装着したときに、耳の上部前端に当接して前記眼鏡の後方への移動を阻止する耳パッドと、前記眼鏡のフレーム下部のもみあげを押さえるもみあげ押え部とが、前記フレームに備えられていることを特徴とする。
【０００７】
第２発明の眼鏡は、第１発明において、前記もみあげ押え部が、前記耳パッドから前方に伸びている又は、前記耳パッド又はフレームから前方下方に伸びて、さらに、Ｕターンして後方に伸びていることを特徴とする。
【０００８】
第３発明の眼鏡は、第１又は２発明において、前記耳パッド及び／又は、前記もみあげ押え部が、前記眼鏡のフレームに対し、着脱自在であることを特徴とする。
【０００９】
第４発明の眼鏡は、第１から３発明の何れかにおいて、前記耳パッド後方には、さらに少なくとも一本の側頭押え部が設けられていることを特徴とする。
【００１０】
第５発明の眼鏡は、第１から４発明の何れかにおいて、前記耳パッド及び／又は、前記もみあげ押え部及び／又は、前記側頭押え部が、ヘアピン状に又は、棒状に又は、櫛状に又は、輪状に押える部材であることを特徴とする。
【００１１】
第６発明の眼鏡は、第１から５発明の何れかにおいて、前記耳パッド及び／又は、前記もみあげ押え部及び／又は、側頭押え部に、髪の間に分け入って地肌に接する複数の突起部が設けられていることを特徴とする。
【００１２】
第７発明の眼鏡は、第１から６発明の何れかにおいて、前記耳パッド及び／又は、前記もみあげ押え部及び／又は、前記側頭押え部のそれぞれの地肌に接する部位に、ラバー材が設けられていることを特徴とする。
【００１３】
第８発明の眼鏡は、第１から７発明の何れかにおいて、前記耳パッド及び／又は、前記もみあげ押え部及び／又は、前記側頭押え部は、前記フレームに対して姿勢変更可能に又は、凹部に嵌るように変形する可塑性を有する部材で形成されていることを特徴とする。
【００１４】
第９発明の眼鏡は、第１から８発明の何れかにおいて、前記耳パッド及び／又は、前記もみあげ押え部及び／又は、前記側頭押え部は、前記フレームに対して、上下方向及び／又は、水平方向に角度調整可能に取り付けられていることを特徴とする。
【００１５】
第１０発明の眼鏡は、第１から９発明の何れかにおいて、前記耳パッド及び／又は、前記もみあげ押え部及び／又は、前記側頭押え部の材質がエラストマーからなることを特徴とする。
【００１６】
第１１発明の眼鏡は、第１から１０発明の何れかにおいて、前記耳パッド及び／又は、前記もみあげ押え部及び／又は、前記側頭押え部の材質がヘアピンからなることを特徴とする。
【００１７】
第１２発明の眼鏡は、第１から１１発明の何れかにおいて、少なくとも頭頂部と顎を押える側頭挟持部が、前記左右の前記フレームを架橋して、前記フレーム又は、前記もみあげ押え部又は、耳パッド又は、前記側頭押え部に着脱自在に取り付けられている。
【００１８】
第１３発明の眼鏡は、第１から１２発明の何れかにおいて、前記眼鏡に、双眼鏡、顕微鏡、ヒアラブル端末、ウエアラブル機器、耳つぼ押え具、骨伝導補聴器、マスク係止具、アクセサリーの何れかが取り付けられている。
【発明の効果】
【００１９】
第１発明の眼鏡によれば、眼鏡を装着したときに、耳の上部前端に当接して眼鏡の後方への移動を阻止する耳パッドと、眼鏡のフレーム下部のもみあげを押さえるもみあげ押え部とが、前記フレームに備えられているので、フレームと耳パッドともみあげ押え部が一体化したシンプルな構造であり、製造は極めて容易である。そして、もみあげを押えるもみあげ押え部を支点として、後方への移動を阻止する耳パッドと、モダンが後方の頭髪の中に入り込んで側頭部を挟持しているので、回転モーメントが阻止できる。装着感は大変良く、眼鏡を確実にフィットさせることができる。したがって、メガネに鼻パッドが無くても有していても良く、それを眼前に保持することができる。
【００２０】
第２発明によれば、前記もみあげ押え部が、前記耳パッドから前方に伸びている又は、前記耳パッド又はフレームから前方下方に伸びて、さらに、Ｕターンして後方に伸びているので、もみあげの凹部の中に入り込み易く、地肌に幅広く接する。もみあげを挟持する押し圧が分散され、安定して眼鏡を固定できる。
【００２１】
第３発明によれば、前記耳パッド及び／又は、前記もみあげ押え部が、前記眼鏡のフレームに対し、着脱自在であるので、レンズと目との間を示す角膜頂点間距離１２ｍｍの調整が可能であり、様々な眼鏡に取り付けが可能である。
【００２２】
第４発明によれば、前記耳パッド後方には、さらに少なくとも一本の側頭押え部が設けられているので、従来のモダンと同様の作用効果があり、モダンより挟持力を増加させることができる。
【００２３】
第５発明によれば、前記耳パッド及び／又は、前記もみあげ押え部及び／又は、前記側頭押え部が、ヘアピン状に又は、棒状に又は、櫛状に又は、輪状に押える部材であるので、支点の位置となるもみあげの凹部に嵌り込んで眼鏡が固定される。側頭部の挟持力が幅広く分散されて装着感は良く眼鏡を固定できる。
【００２４】
第６発明によれば、前記耳パッド及び／又は、前記もみあげ押え部及び／又は、側頭押え部に、髪の間に分け入って地肌に接する複数の突起部が設けられているので、突起部が頭髪の中に入り込んで安定して眼鏡を固定できる。
【００２５】
第７発明によれば、前記耳パッド及び／又は、前記もみあげ押え部及び／又は、前記側頭押え部のそれぞれの地肌に接する部位に、ラバー材が設けられているので、髪の毛との密着性が向上して眼鏡を固定できる。
【００２６】
第８発明によれば、前記耳パッド及び／又は、前記もみあげ押え部及び／又は、前記側頭押え部は、前記フレームに対して姿勢変更可能に又は、凹部に嵌るように変形する可塑性を有する部材で形成されているので、装着感の良い適宜の挟持力に調整が可能である。
【００２７】
第９発明によれば、前記耳パッド及び／又は、前記もみあげ押え部及び／又は、前記側頭押え部は、前記フレームに対して、上下方向及び／又は、水平方向に角度調整可能に取り付けられているので、上下方向はレンズの高さ調整が可能であり、レンズを上方に退避させることができる。水平方向はもみあげ押え部と側頭押え部の側頭部への押圧を均等にできる。
【００２８】
第１０発明によれば、前記耳パッド及び／又は、前記もみあげ押え部及び／又は、前記側頭押え部の材質がエラストマーからなることにより、軽量で柔軟性を有しているので、様々な装着者の側頭部の形状に対応して、フィットさせることができる。
【００２９】
第１１発明によれば、前記耳パッド及び／又は、前記もみあげ押え部及び／又は、前記側頭押え部の材質がヘアピンからなることにより、頭髪の中に入り易く軽量で柔軟性を有しているので、様々な装着者の側頭部の形状に対応して、フィットさせることができる。
【００３０】
第１２発明によれば、少なくとも頭頂部と顎を押える側頭挟持部が、前記左右の前記フレームを架橋して、前記フレーム又は、前記もみあげ押え部又は、耳パッド又は、前記側頭押え部に着脱自在に取り付けられているので、側頭挟持部の取り付け角度を変更して、適宜の位置で側頭挟持部を固定することにより、重い眼鏡や機器であっても保持することができる。
【００３１】
第１３発明によれば、前記眼鏡に、双眼鏡、顕微鏡、ヒアラブル端末、ウエアラブル機器、耳つぼ押え具、骨伝導補聴器、マスク係止具、アクセサリーの何れかが取り付けられているので、眼鏡をかけた時にそれらの機器を使用することができる。
【図面の簡単な説明】
【００３２】
【図１】第１発明の実施例を示す斜視図、側面図である。
【図２】第２発明の実施例を示す側面図である。
【図３】第３発明の実施例を示す側面図である。
【図４】第４発明の実施例を示す側面図である。
【図５】第５発明の実施例を示す側面図である。
【図６】第６発明の実施例を示す側面図である。
【図７】第７発明の実施例を示す側面図である。
【図８】第８発明の実施例を示す側面図、上面図である。
【図９】第９発明の実施例を示す側面図、上面図である。
【図１０】第１１発明の実施例を示す側面図である。
【図１１】第１２発明の実施例を示す側面図である。
【図１２】第１３発明の実施例を示す側面図である。
【発明を実施するための形態】
【００３３】
以下、本発明に係る眼鏡の実施形態の例を、様々な眼鏡を例にして図面を参照しながら説明する。
【実施例１】
【００３４】
図１（ａ）は第１発明の眼鏡本体を示す一実施形態の斜視図であり、眼鏡のフレーム２に耳パッド１と、もみあげ１を押えるもみあげ押え部３とを取り付けたことを示している。図１（ｂ）は第１発明の眼鏡本体を人がかけた状態を示す一実施形態の側面図である。フレーム２に取り付けた耳パッド１が耳の耳輪の前端に当接して側頭部を挟持し、この耳パッド１の下端に、前方に伸ばして取り付けたもみあげ押え部３が、被装着者の頭髪に入り込んで頬骨弓部１５上の凹部１４に当接して、側頭部を挟持した状態を示している。これらの図において、第１発明の眼鏡は、眼鏡を装着したときに、耳の上部前端に当接して前記眼鏡の後方への移動を阻止する耳パッド１と、前記眼鏡のフレーム２下部のもみあげを押さえるもみあげ押え部３とが、前記フレーム２に備えられていることを特徴としている。
【００３５】
第１発明の耳パッド１は、耳の上部前端と側頭部に沿って地肌に当接する形状であり、フレーム２に取り付けて眼鏡の後方への移動を阻止する。耳に接する部分にシリコン、ウレタンなどの変形可能な調整具を設けると良い。第１発明のもみあげ押え部３は、フレーム２及び／又は、耳パッド１に取り付け、側頭部に当接し、頬骨弓部１５上の凹部１１に嵌る形状であり、眼鏡を保持する支点である。もみあげ押え部３の形状は、円筒形、円形、方形など限定することなく、レンズ枠やフレーム２のデザインにマッチした様々な形状にできる。
【００３６】
頭髪は脳や頭皮を衝撃やケガから守るクッションの役割をしている。髪の毛の中に入り込んだ、もみあげ押え部３のずれを防止するためには、もみあげ押え部３を確実に頬骨弓部１５上の凹部１４に嵌め込むことはもとより、耳パッド１を側頭部に当接させて、耳の耳輪の前端に当接させる。さらに、モダン２０を耳輪と側頭部の間の耳介側頭溝に確実に嵌め込み、モダン２０の後方は上方に傾斜させて内側に曲げ、側頭部に強く当接させ前方への移動を阻止することが重要である。よって、もみあげ押え部３から耳パッド１とモダン２０まで連結した保持部は、側頭部側の面で最大限挟持させることで眼鏡を確実に保持することができる。
【００３７】
鼻パッドを取り付けた眼鏡は、鼻パッドで眼鏡を止めているので、フレーム２の挟持力が弱くても良い。しかし、本発明はフレーム２の挟持力で眼鏡を保持しているので、フレーム２には眼鏡を保持するだけの挟持力が必要である。そのためには、フレーム２の挟持力を強くするか、又はもみあげ押え部３や耳パッド１やモダン２０をフレーム２の内側に設けることが重要である。
【００３８】
第１発明の眼鏡に取り付けた耳パッドともみあげ押え部３は、耳より外側に突出することなく、フレーム２と平行して取り付けられたシンプルな形状である。もみあげ押え部３と耳パッド１が接している側頭部には、髪の毛が生えているので、髪の毛の多い人はそれらを隠すことができる。特に女性の場合、外観から眼鏡を保持している方法が見えないので、眼鏡だけがスッキリ見える。
【００３９】
眼鏡を装着する方法は、従来の眼鏡をかける方法と同様に、左右のフレーム２を持ち、フレーム２を少し外側に開けた状態で、モダン２０を地肌に沿わせながら、後方に押し込んでいけば良い。髪の毛に絡むことはなく着脱は容易である。
【００４０】
本発明で言う眼鏡は、度つき眼鏡、伊達メガネ、老眼鏡、ＴＶ・映画用３Ｄメガネ、サングラス、スポーツサングラス、カメラを取り付けたメガネ、拡大鏡を付けたメガネ、ライトを付けたメガネ、剣道用メガネ、ウエアラブル機器用メガネ、スクリーンに表示される画像を観察するための画像観察用メガネ、拡張現実（ＡＲ）機能を備えたメガネ、手術用メガネ等である。
【００４１】
以下の図では、第１発明の構成部分と同様な部分については、その説明を省略又は簡略化し、第１発明と異なる部分の実施形態について説明する。
【実施例２】
【００４２】
第２発明の眼鏡は、前記もみあげ押え部が、前記耳パッド１から前方に伸びている又は、前記耳パッド１又はフレーム２から前方下方に伸びて、さらに、Ｕターンして後方に伸びていることを特徴としている。
【００４３】
図２（ａ）は、第２発明のもみあげ押え部３が、フレーム２に取り付けられている耳パッド１から前方に伸びていることを示す一実施例の側面図である。耳パッド１は側頭部に当接しており、この耳パッド１から前方下方に伸びたもみあげ押え部３は、頭髪に入り込んで和寥２４（耳つぼ）と頬骨弓部１５上の凹部１１に当接しているので、挟持力が分散されて装着感は良く、非常に安定して眼鏡を保持できる。和寥２４は疲れ目、目の奥の痛み、頭痛、耳鳴り、三叉神経痛、目の疲れなどの耳つぼ効果がある。
【００４４】
図２（ｂ）は、第２発明のもみあげ押え部３が、耳パッド１から前方下方に伸びて、さらに、Ｕターンして後方に伸びていることを示す一実施例の側面図である。もみあげの凹部の中に入り込み易く、地肌に幅広く接しているので、もみあげを挟持する押し圧が分散され、安定して眼鏡を固定できる。図２（ｃ）は、第２発明のもみあげ押え部３が、フレーム２から前方下方に伸びて、さらに、Ｕターンして後方に伸びていることを示す一実施例の側面図である。もみあげの凹部の中に入り込み易く、支点が前方に移るのでより安定して眼鏡を保持できる。
【実施例３】
【００４５】
第３発明の眼鏡は、前記耳パッド１及び／又は、前記もみあげ押え部３が、前記眼鏡のフレーム２に対し、着脱自在であることを特徴としている。
【００４６】
図３（ａ）は第３発明の耳パッド１ともみあげ押え部３に、着脱するための連結部２１を設け、フレーム２に取り付けたことを示す一実施形態の側面図である。フレーム２に嵌め込むために連結部２１の中心部に、フレーム２と平行して溝を設けている。図３（ｂ）はもみあげ押え部３と耳パッド１を分離させ、それぞれに連結部２１を設けてフレーム２に嵌め込んだことを示す一実施形態の側面図である。矢印が示すように、耳パッド１ともみあげ押え部３の位置を前後方向に調整が可能になるので、耳パッド１を耳の上部前端に、もみあげ押え部３をもみあげ１の中の凹部１４の適宜の位置に嵌め込むことができる。
【００４７】
フレーム２に着脱自在にする形態は限定しない。連結部１２の形状を様々なフレーム２に連結、分離可能な形状にすることにより、耳パッド１及びもみあげ押え部３はすべての眼鏡に取り付け可能になる。フレーム２に耳パッド１ともみあげ押え部３を確実に固定するには、連結部２１にネジを設けてネジを締めるか、耳パッド１ともみあげ押え部３の位置が決まれば接着する方法もある。
【実施例４】
【００４８】
第４発明の眼鏡は、前記耳パッド１後方には、さらに少なくとも一本の側頭押え部４が設けられていることを特徴としている。
【００４９】
図４（ａ）は第１発明の眼鏡の耳パッド１の後端に、第４発明の側頭押え部４を取り付けたことを示す一実施形態の側面図である。従来のモダン２０は鼻パッドが取り付けられているのでフレーム２の挟持力は弱い。しかし、本発明は眼鏡を挟持力で眼鏡を保持しているので、側頭押え部４を側頭部に適宜の強さで当接するように、フレーム２を内側に曲げるか、側頭押え部４をフレーム２の内側に設けて後方を内側に曲げる必要がある。
【００５０】
図４（ｂ）は第４発明の側頭押え部４に、第３発明の耳パッド１ともみあげ押え部３と連結部２１とを取り付け、一体化したことを示す一実施形態の側面図である。図４（ｃ）は一体化した連結部２１を眼鏡のフレーム２に嵌め込んだことを示す一実施形態の側面図である。矢印が示すように、前後方向の調整が可能である。連結部２１をフレーム２に嵌め込んだとき、側頭押え部４は耳介側頭溝２３に嵌まり、挟持力の弱いモダン２０は耳の外側に出すか、邪魔であれば切り落とせば良い。図４（ｄ）は一体化した保持部の連結部２１だけを前方に設けたことを示す一実施形態の側面図である。フレーム２の挟持力が弱い場合、側頭押え部４の挟持力を最大限生かすためである。
【実施例５】
【００５１】
第５発明の眼鏡は、前記耳パッド１及び／又は、前記もみあげ押え部３及び／又は、前記側頭押え部４が、ヘアピン状５に又は、棒状６に又は、櫛状７に又は、輪状８に押える部材であることを特徴としている。
【００５２】
図５（ａ）は第５発明の耳パッド１及びもみあげ押え部３及び側頭押え部４の形状がＵ字状のヘアピン状５であることを示す一実施例の側面図である。弾力性を有するヘアピン状５にすることにより、頭髪の中に入り易く、地肌にフィットする。図５（ｂ）はもみあげ押え部３及び側頭押え部４の形状が棒状６であることを示す一実施例の側面図である。もみあげ押え部３はフレーム２から下方に延設し、さらに後方に伸ばしている。棒状６は横長の当接面により、強い保持力が生じて安定して保持できる。
【００５３】
図５（ｃ）は第５発明のもみあげ押え部３及び側頭押え部４の形状が櫛状７であることを示す一実施例の側面図である。櫛状７は頭髪をすくことができるので頭髪の中に入り易い。図５（ｄ）は第５発明のもみあげ押え部３及び側頭押え部４の形状が輪状８であることを示す一実施例の側面図である。輪状８は一部分隙間を設けることも可能であり、髪の毛を押えて眼鏡を保持することができる。もみあげ押え部３や側頭押え部４の形状は、様々の人の頭髪の形状や髪質に対応させるために、様々な形状を組み合わせることができる。
【実施例６】
【００５４】
第６発明の眼鏡は、前記耳パッド１及び／又は、前記もみあげ押え部３及び／又は、側頭押え部４に、髪の間に分け入って地肌に接する複数の突起部９が設けられていることを特徴としている。
【００５５】
図６（ａ）は第６発明の半球状の突起部９を、耳パッド１及びもみあげ押え部３に設けたことを示す一実施例の側面図である。図６（ｂ）は円柱に形成された突起部９を櫛状７に設けたことを示す一実施例の側面図である。図６（ｃ）は耳パッド１とびもみあげ押え部３を分離し、側頭押え部４に突起部９を設けたことを示す一実施例の側面図である。図６（ｄ）は輪状８のもみあげ押え部３と側頭押え部４に、突起部９を設けたことを示す一実施例の側面図である。突起部９は保持力を補助する適宜の場所に設ければ良い。
【００５６】
人の頭部の形状やもみあげ３の生え方は様々であり、もみあげ１の中にある頬骨弓部１５上の凹部１４の地肌に接して保持するために、複数の僅かに突出した突起部９は装着感に影響することはなく、突起部６が地肌に接しても髪の毛が緩衝材となり、接触痕が残ることはない。
【実施例７】
【００５７】
第７発明の眼鏡は、前記耳パッド１及び／又は、前記もみあげ押え部３及び／又は、前記側頭押え部４のそれぞれの地肌に接する部位に、ラバー材１０が設けられていることを特徴としている。
【００５８】
図７（ａ）の斜線の部分は第７発明のもみあげ押え部３及び耳パッド１及び側頭押え部４が地肌に接する面にラバー材１０を設けたことを示す一実施形態の側面図である。頭髪との密着度が増して保持力が向上する。図７（ｂ）の斜線の部分は第７発明の耳パッド１及びもみあげ押え部３及び側頭押え部４に取り付けた第６発明の突起部９の表面と、地肌に接する面とにラバー材１０を設けたことを示す一実施形態の側面図である。突起部９の表面を覆うことにより保持力が向上する。耳パッド１及びもみあげ押え部３及び側頭押え部４が地肌に接する面は滑らない部材、粘着性の部材として、シリコン、ウレタン、アクリルなどのラバー材を使用することで地肌への密着度が向上する。また、人肌のように柔軟な部材であるエラストマーゲル状ウレタンや肌の温度で変形する樹脂も適している。
【実施例８】
【００５９】
第８発明の眼鏡は、前記耳パッド１及び／又は、前記もみあげ押え部３及び／又は、前記側頭押え部４は、前記フレーム２に対して姿勢変更可能に又は、凹部１１に嵌るように変形する可塑性を有する部材１２で形成されていることを特徴としている。
【００６０】
図８（ａ）は第８発明の耳パッド１ともみあげ押え部３と側頭押え部４とフレーム２とを一体化した接続部又は全体に、可塑性を有する部材１２を設けたことを示す一実施例の側面図であり、図８（ｂ）は上面図である。接続部又は、全体に可塑性を有する部材１２を設けることにより、矢印が示すように、レンズ部や保持部を上下方向や水平方向に角度の修正ができる。金属を挿入した樹脂や金属にすることにより、一定以上の力を加えて側頭部に当接する角度を、三次元的に変更することができる。
【００６１】
図８（ｃ）は第８発明のもみあげ押え部３を耳パッド１から分離し、もみあげ押え部３をフレーム２と一体化した接続部又は全体に、可塑性を有する部材１２を設けたことを示す一実施例の側面図であり、図８（ｄ）は上面図である。可塑性を有する部材１２を設けることにより、矢印が示すように、耳パッド１を耳輪の前端に当接させること、もみあげ押え部３を側頭部の凹部１１に嵌めること、レンズ部を正しい位置に調整するために、前後方向や左右方向や上下方向に修正することができる。
【実施例９】
【００６２】
第９発明の眼鏡は、前記耳パッド１及び／又は、前記もみあげ押え部３及び／又は、前記側頭押え部４は、前記フレーム２に対して、上下方向及び／又は、水平方向に角度調整可能に取り付けられていることを特徴としている。
【００６３】
図９（ａ）は第９発明の耳パッド１及びもみあげ押え部３及び側頭押え部４を一体化した保持部に関節１６を設け、フレーム２に対して、矢印が示すように上下方向に回動可能に取り付けたことを示す一実施例の側面図である。図９（ｂ）は矢印が示すように、耳パッド１及びもみあげ押え部３及び側頭押え部４を分離して関節１６を設け、フレーム２に対して、各々別々に上下方向に回動可能に取り付けたことを示す一実施例の側面図である。一定以上の力で保持部を動かして、微妙に上下移動させることにより、レンズ部の位置を修正することが可能である。長時間眼鏡をかけている時、徐々にレンズ部が下がる場合にレンズ部の位置を修正することが可能になる。眼鏡を上方に回動させて前頭部上に退避させることもできる。
【００６４】
図９（ｃ）は第９発明の耳パッド１及びもみあげ押え部３及び側頭押え部４を一体化した保持部に関節１６を設け、フレーム２に対して、矢印が示すように水平方向に回動可能に取り付けたことを示す一実施例の上面図である。図９（ｄ）は耳パッド１及びもみあげ押え部３を一体化して、側頭押え部４を分離して２箇所に関節１６を設け、フレーム２に対して、各々別に水平方向に回動可能に取り付けたことを示す一実施例の上面図である。矢印が示すように、側頭部にフィットさせることができる。
【実施例１０】
【００６５】
第１０発明の眼鏡は、前記耳パッド１及び／又は、前記もみあげ押え部３及び／又は、前記側頭押え部４の材質がエラストマーからなることを特徴としている。
【００６６】
第１０発明の耳パッド１及びもみあげ押え部３及び側頭押え部４の材質がエラストマーからなる場合は、もみあげ押え部３及び側頭押え部４は柔軟性に優れている。被装着者の側頭部に合わせて、適宜の挟持力で当接するので、フィット感が良い。もみあげ押え部３及び側頭押え部４に金属芯を挿入した場合、所定の形状を維持することができる。
【００６７】
本発明のもみあげ押え部３及び側頭押え部４の材質は、シリコンゴム、合成ゴム、天然ゴム、ウレタンゴム、フッ素ゴムなどの熱硬化性エラストマーである。また、熱可塑性エラストマーとして、スチレン系、塩ビ系、オレフィン系、ウレタン系、アミド系などがある。熱可塑性樹脂としては、アクリル樹脂、ＡＢＳ樹脂、ポリカーボネート、ポリプロピレン、ポリ塩化ビニル、ポリスチレン、ポリ酢酸ビニル、ポリウレタン、テフロン、ＡＳ樹脂、ポリアミド、ポリアセタール、ポリエチレン、ポリエステル等である。
【実施例１１】
【００６８】
第１１発明の眼鏡は、前記耳パッド１及び／又は、前記もみあげ押え部３及び／又は、前記側頭押え部４の材質がヘアピン１３からなることを特徴としている。
【００６９】
図１０は第１１発明の耳パッド１及びもみあげ押え部３及び側頭押え部４の材質がヘアピン１３であることを示す一実施例の側面図である。ヘアピン１３は頭髪の中に入り込む素材として最も適している。図１０（ａ）は柔軟性に優れたU字状のヘアピン１３をフレーム２から下方に向けて取り付けていることを示す一実施例の側面図である。被装着者の側頭部に合わせて、適宜の挟持力で当接するので、凹部１４に入り易くフィット感が良い。側頭押え部４も同様である。図１０（ｂ）はU字状のヘアピン１３の先端が後方に向けて設けているので、髪の毛の中に入り易いことを示す一実施例の側面図である。図１０（ｃ）はヘアピン１３を前方に向けて設けているので、眼鏡がスムーズにかけられることを示す一実施例の側面図である。図１０（ｄ）は眼鏡の細いフレーム２に、細いヘアピン１３を後方に向けてもみあげ押え部３に設け、耳パッド１は下方に向けて設け、側頭押え部４は後方上方に向けて設けていることを示す一実施例の側面図である。細いヘアピン１３の先端には、緩衝材を設けている。最もシンプルな眼鏡となる。
【実施例１２】
【００７０】
第１２発明の眼鏡は、少なくとも頭頂部１７と顎１８を押える側頭挟持部１４が、前記左右の前記フレーム２を架橋して、前記フレーム２又は、前記もみあげ押え部３又は、耳パッド１又は、前記側頭押え部４に着脱自在に取り付けられている。
【００７１】
図１１（ａ）は第１２発明の側頭挟持部１４−１をフレーム２に取り付け、顎１８で押えていることを示す一実施形態の側面図である。側頭挟持部１４−１は顎１８に接して後方への回転モーメントを相殺している。重い眼鏡や機器の取り付け可能である。図１１（ｂ）は第１２発明の側頭挟持部１４−２をもみあげ押え部３に取り付け、前頭部を押えていることを示す一実施形態の側面図である。側頭挟持部１４−２は前頭部を跨いで連結しているので、女性の場合、前方から見ると髪の毛の上からヘアーバンドをしているように見える。ブリッジのない眼鏡にすることができる。
【００７２】
図１１（ｃ）は第１２発明の側頭挟持部１４−３を耳パッド１に取り付け、頭頂部１７を押えていることを示す一実施形態の側面図である。側頭挟持部１４−３は頭頂部１７を跨いで連結しているので、保持することや挟持する力が左右に分割され、左右のバランスを良くして側頭部にフィットする。図１１（ｄ）は第１２発明の側頭挟持部１４−４をモダン２０の後端部に取り付け、後頭部を押えていることを示す一実施形態の側面図である。側頭挟持部１４−４はモダン２０に連結して、後頭部を跨いで設けているので、前後方向のバランスが良く保持できる。ブリッジのない眼鏡にすることができる。
【００７３】
側頭挟持部１４−１〜４は眼鏡以外の使用目的に応じた機器などを保持するための挟持力、保持力の補助ができる。側頭挟持部１４−１〜４の材質は弾性体で形成され、長期間継続して使用できるように、適宜の強さに調整することができる。取り付け部に設けた関節１６により、眼鏡や機器などの使用目的に応じた取り付け角度の調整が可能である。
【実施例１３】
【００７４】
第１３発明の眼鏡は、前記眼鏡に、双眼鏡３０、顕微鏡、ヒアラブル端末３１、ウエアラブル機器３２、耳つぼ押え具３５、骨伝導補聴器３６、マスク係止具、アクセサリー３７の何れかが取り付けられていることを特徴としている。
【００７５】
図１２（ａ）は第１３発明の双眼鏡３０をかけるために、側頭挟持部１４−１が顎１６の前面に当接するようにフレーム２に連結し、側頭押え部４を長くしたことを示す一実施形態の側面図である。この形態はメガネ型の顕微鏡、ＶＲ，ＡＲ、ＭＲ用としても使用できる。これらの機器の着脱が前面でできる。図１２（ｂ）は第１３発明のヒアラブル端末３１を耳の上部裏側のフレーム２に取り付け、イヤホン３４をもみあげ押え部３から耳の中に延設したことを示す一実施形態の側面図である。眼鏡と一体化したヒアラブル端末３１となる。図１２（ｃ)は第１３発明の眼鏡をウエアラブル機器３３にするために、レンズ部にディスプレイ３２を取り付け、フレーム２にバッテリー、制御機器、通信機器を設けたことを示す一実施形態の側面図である。鼻に負担のかからない眼鏡と一体化したウエアラブル機器３３となる。
【００７６】
図１１（ｄ)は耳つぼ押え具３５をもみあげ押え部３に設け、耳つぼの和寥２４、起点、角孫などに当接させて、耳ツボを刺激することにより耳つぼ効果があることを示す一実施形態の側面図である。図１１（ｅ)は骨伝導補聴器３６をもみあげ押え部３の周縁に設けたことを示す一実施形態の側面図である。図１２（ｆ)は眼鏡の側頭押え部３に係止具１９を取り付けたことを示す一実施形態の側面図である。マスクの紐を係止具１９にかけることにより、長時間マスクをかけた時に、耳の痛さが緩和される。図１２（ｂ）はアクセサリー３７をもみあげ押え部３に取り付けたことを示す一実施形態の側面図である。耳朶の負担が軽減される。
【符号の説明】
【００７７】
１    耳パッド
２    フレーム
３    もみあげ押え部
４    側頭押え部
５    ヘアピン状
６    棒状
７    櫛状
８    輪状
９    突起部
１０  ラバー材
１１  凹部
１２  可塑性を有する部材
１３  ヘアピン
１４  側頭挟持部
１５  頬骨弓部  
１６  関節
１７  頭頂部
１８  顎
１９  係止具
２０  モダン
２１  連結部
２２  もみあげ
２３  耳介側頭溝
２４  和寥
３０  双眼鏡
３１  ヒアラブル端末
３２  ディスプレイ
３３  ウエアラブル機器
３４  イヤホン
３５  耳つぼ押え具
３６  骨伝導機器
３７  アクセサリー
【図１】
2020076798.tif 000003
【図２】
2020076798.tif 000004
【図３】
2020076798.tif 000005
【図４】
2020076798.tif 000006
【図５】
2020076798.tif 000007
【図６】
2020076798.tif 000008
【図７】
2020076798.tif 000009
【図８】
2020076798.tif 000010
【図９】
2020076798.tif 000011
【図１０】
2020076798.tif 000012
【図１１】
2020076798.tif 000013
【図１２】
2020076798.tif 000014
【手続補正書】
【提出日】平成31年2月13日(2019.2.13)
【手続補正１】
【補正対象書類名】明細書
【補正対象項目名】全文
【補正方法】変更
【補正の内容】
【発明の詳細な説明】
【技術分野】
【０００１】
本発明は、顔や鼻や耳に負担を掛けず、位置決めが容易、着脱が容易、装着感が良い眼鏡に関する。
【背景技術】
【０００２】
従来、眼鏡はモダンを耳の耳介側頭溝に掛けて、鼻パッドを使用して装着しているので、レンズ部に取り付けた鼻パッドは、鼻に負担をかけている。近年、この鼻パッドを取り外した眼鏡が考案されている。この眼鏡を保持するために、保持部をこめかみや頬や頬骨弓部上の凹部に当接させて挟持しているが、これらの保持部だけで眼鏡の位置を正確に決めて保持することはできない。また、こめかみや頬に当接した部分は変色して跡が残る。これらの方法で眼鏡を保持することを継続させるための構造には、さらなる改良を必要とする。
【０００３】
この問題に対しては、特許文献１は、眼鏡のフレームから下方に設けられた、もみあげを押える下前押え部に、髪の間に分け入って地肌に接する複数の突起部を備え、前記突起部の表面には、該突起部間に分け入った髪を保持するラバー材を設けた構造である。しかし、眼鏡を保持するために、表面にラバー材を設けた複数の突起部が、髪の間に分け入ってもみあげの凹部に当接しているが、鼻パッドが顔の一部分に当接しているように、確実に眼鏡の位置を決めて後方向への移動を阻止することはできない。
【先行技術文献】
【特許文献】
【０００４】
【特許文献１】特許第６４１３０５２号
【発明の概要】
【発明が解決しようとする課題】
【０００５】
眼鏡は、レンズや機器の重量が鼻や顔の柔らかい皮膚面を押圧し、鼻パッドや眼鏡の保持部が当接した部分は変色して跡が残る。また、眼鏡の保持部が外観から目立つ顔面にある。そうした製品を長期間装着することが問題であることは変わらない。本発明は、こうした問題を解決しようとするもので、眼鏡の鼻や顔や耳への負担を軽減させるために、側頭部で保持させる。眼鏡の後方への移動を耳で阻止させる。眼鏡の保持部が外観から目立ち難い側頭部の頭髪に入り込んで、頭の地肌に当接して挟持させる。着脱が容易で装着感が良く、安定して長期間装着できる眼鏡を提供することを課題とする。
【課題を解決するための手段】
【０００６】
第１発明の眼鏡は、眼鏡を装着したときに、耳の上部前端にフレームより外側に突出して当接し、前記眼鏡の後方への移動を阻止する耳パッドと、前記眼鏡のフレーム下部のもみあげの中の凹部を押さえるもみあげ押え部とが、前記フレームに備えられていることを特徴とする。
【０００７】
第２発明の眼鏡は、第１発明において、前記耳パッド及び／又は、前記もみあげ押え部が、前記眼鏡のフレームに対し、着脱自在であることを特徴とする。
【０００８】
第３発明の眼鏡は、第１又は２発明において、前記耳パッド後方には、さらに少なくとも一本の側頭押え部が設けられていることを特徴とする。
【０００９】
第４発明の眼鏡は、第１又は２発明において、前記耳パッド及び／又は、前記もみあげ押え部が、棒状に又は、櫛状に又は、輪状に押える部材であることを特徴とする。
【００１０】
第５発明の眼鏡は、第３発明において、前記側頭押え部が、棒状に又は、櫛状に又は、輪状に押える部材であることを特徴とする。
【００１１】
第６発明の眼鏡は、第１又は２又は４発明において、前記耳パッド及び／又は、前記もみあげ押え部に、髪の間に分け入って地肌に接する複数の突起部が設けられていることを特徴とする。
【００１２】
第７発明の眼鏡は、第３又は５発明において、前記側頭押え部に、髪の間に分け入って地肌に接する複数の突起部が設けられていることを特徴とする。
【００１３】
第８発明の眼鏡は、第１又は２又は４又は６発明において、前記耳パッド及び／又は、前記もみあげ押え部のそれぞれの地肌に接する部位に、ラバー材が設けられていることを特徴とする。
【００１４】
第９発明の眼鏡は、第３又は５又は７発明において、前記側頭押え部の地肌に接する部位に、ラバー材が設けられていることを特徴とする。
【００１５】
第１０発明の眼鏡は、第１又は２又は４又は６又は８発明において、前記耳パッド及び／又は、前記もみあげ押え部の材質がエラストマーからなることを特徴とする。
【００１６】
第１１発明の眼鏡は、第３又は５又は７又は９発明において、前記側頭押え部の材質がエラストマーからなることを特徴とする。
【００１７】
第１２発明の眼鏡は、第３又は５又は７又は９又は１１発明において、少なくとも頭頂部と顎を押える側頭挟持部が、前記フレームを架橋して、前記側頭押え部に着脱自在に取り付けられていることを特徴とする。
【００１８】
第１３発明の眼鏡は、第１から１２発明の何れかにおいて、前記眼鏡に、双眼鏡、顕微鏡、ヒアラブル端末、ウエアラブル機器、耳つぼ押え具、骨伝導補聴器、マスク係止具、アクセサリーの何れかが取り付けられている。
【発明の効果】
【００１９】
第１発明の眼鏡によれば、眼鏡を装着したときに、耳の上部前端にフレームより外側に突出して当接し、眼鏡の後方への移動を阻止する耳パッドと、眼鏡のフレーム下部のもみあげの中の凹部を押さえるもみあげ押え部とが、前記フレームに備えられているので、フレームと耳パッドともみあげ押え部が一体化したシンプルな構造であり、製造は極めて容易である。そして、もみあげの中の凹部を押えるもみあげ押え部を支点として、後方への移動を阻止する耳パッドと、モダンが後方の頭髪の中に入り込んで側頭部を挟持しているので、回転モーメントが阻止できる。装着感は大変良く、眼鏡を確実にフィットさせることができる。したがって、メガネに鼻パッドが無くても有していても良く、それを眼前に保持することができる。
【００２０】
第２発明によれば、前記耳パッド及び／又は、前記もみあげ押え部が、前記眼鏡のフレームに対し、着脱自在であるので、レンズと目との間を示す角膜頂点間距離１２ｍｍの調整が可能であり、様々な眼鏡に取り付けが可能である。
【００２１】
第３発明によれば、前記耳パッド後方には、さらに少なくとも一本の側頭押え部が設けられているので、従来のモダンと同様の作用効果があり、モダンより挟持力を増加させることができる。
【００２２】
第４発明によれば、前記耳パッド及び／又は、前記もみあげ押え部が、棒状に又は、櫛状に又は、輪状に押える部材であるので、支点の位置となるもみあげの凹部に嵌り込んで眼鏡が固定される。装着感は良く眼鏡を固定できる。
【００２３】
第５発明によれば、前記側頭押え部が、棒状に又は、櫛状に又は、輪状に押える部材であるので、側頭部の挟持力が幅広く分散されて装着感は良く眼鏡を固定できる。
【００２４】
第６発明によれば、前記耳パッド及び／又は、前記もみあげ押え部に、髪の間に分け入って地肌に接する複数の突起部が設けられているので、突起部が頭髪の中に入り込んで安定して眼鏡を固定できる。
【００２５】
第７発明によれば、前記側頭押え部に、髪の間に分け入って地肌に接する複数の突起部が設けられているので、突起部が頭髪の中に入り込んで安定して眼鏡を固定できる。
【００２６】
第８発明によれば、前記耳パッド及び／又は、前記もみあげ押え部のそれぞれの地肌に接する部位に、ラバー材が設けられているので、髪の毛との密着性が向上して眼鏡を固定できる。
【００２７】
第９発明によれば、前記側頭押え部の地肌に接する部位に、ラバー材が設けられているので、髪の毛との密着性が向上して眼鏡を固定できる。
【００２８】
第１０発明によれば、前記耳パッド及び／又は、前記もみあげ押え部の材質がエラストマーからなることにより、軽量で柔軟性を有しているので、様々な装着者の側頭部の形状に対応して、フィットさせることができる。
【００２９】
第１１発明によれば、前記側頭押え部の材質がエラストマーからなることにより、軽量で柔軟性を有しているので、様々な装着者の側頭部の形状に対応して、フィットさせることができる。
【００３０】
第１２発明によれば、少なくとも頭頂部と顎を押える側頭挟持部が、前記フレームを架橋して、前記側頭押え部に着脱自在に取り付けられているので、側頭挟持部の取り付け角度を変更して、適宜の位置で側頭挟持部を固定することにより、重い眼鏡や機器であっても保持することができる。
【００３１】
第１３発明によれば、前記眼鏡に、双眼鏡、顕微鏡、ヒアラブル端末、ウエアラブル機器、耳つぼ押え具、骨伝導補聴器、マスク係止具、アクセサリーの何れかが取り付けられているので、眼鏡をかけた時にそれらの機器を使用することができる。
【図面の簡単な説明】
【００３２】
【図１】第１発明の実施例を示す斜視図、側面図である。
【図２】第１発明の実施例を示す側面図である。
【図３】第２発明の実施例を示す側面図である。
【図４】第３発明の実施例を示す側面図である。
【図５】第４発明、第５発明の実施例を示す側面図である。
【図６】第６発明、第７発明の実施例を示す側面図である。
【図７】第８発明、第９発明の実施例を示す側面図である。
【図８】第１０発明、第１１発明の実施例を示す側面図、上面図である。
【図９】実施例を示す側面図、上面図である。
【図１０】実施例を示す側面図である。
【図１１】第１２発明の実施例を示す側面図である。
【図１２】第１３発明の実施例を示す側面図である。
【発明を実施するための形態】
【００３３】
以下、本発明に係る眼鏡の実施形態の例を、様々な眼鏡を例にして図面を参照しながら説明する。
【実施例１】
【００３４】
図１（ａ）は第１発明の眼鏡本体を示す一実施形態の斜視図であり、眼鏡のフレーム２に耳パッド１と、もみあげ１を押えるもみあげ押え部３とを取り付けたことを示している。図１（ｂ）は第１発明の眼鏡本体を人がかけた状態を示す一実施形態の側面図である。フレーム２に取り付けた耳パッド１が耳の耳輪の前端にフレーム２より外側に突出して当接して側頭部を挟持し、この耳パッド１の下端に、前方に伸ばして取り付けたもみあげ押え部３が、被装着者の頭髪に入り込んで頬骨弓部１５上の凹部１４に当接して、側頭部を挟持した状態を示している。これらの図において、第１発明の眼鏡は、眼鏡を装着したときに、耳の上部前端にフレーム２より外側に突出して当接し、前記眼鏡の後方への移動を阻止する耳パッド１と、前記眼鏡のフレーム２下部のもみあげの中の凹部１１を押さえるもみあげ押え部３とが、前記フレームに備えられていることを特徴としている。
【００３５】
図２（ａ）は、もみあげ押え部３が、フレーム２に取り付けられている耳パッド１から前方に伸びていることを示す一実施例の側面図である。耳パッド１は側頭部に当接しており、この耳パッド１から前方下方に伸びたもみあげ押え部３は、頭髪に入り込んで和寥２４（耳つぼ）と頬骨弓部１５上の凹部１１に当接しているので、挟持力が分散されて装着感は良く、非常に安定して眼鏡を保持できる。和寥２４は疲れ目、目の奥の痛み、頭痛、耳鳴り、三叉神経痛、目の疲れなどの耳つぼ効果がある。
【００３６】
図２（ｂ）は、もみあげ押え部３が、耳パッド１から前方下方に伸びて、さらに、Ｕターンして後方に伸びていることを示す一実施例の側面図である。もみあげの凹部の中に入り込み易く、地肌に幅広く接しているので、もみあげを挟持する押し圧が分散され、安定して眼鏡を固定できる。図２（ｃ）は、もみあげ押え部３が、フレーム２から前方下方に伸びて、さらに、Ｕターンして後方に伸びていることを示す一実施例の側面図である。もみあげの凹部の中に入り込み易く、支点が前方に移るのでより安定して眼鏡を保持できる。
【００３７】
第１発明の耳パッド１は、耳の上部前端と側頭部に沿って地肌に当接する形状であり、フレーム２に取り付けて眼鏡の後方への移動を阻止する。耳に接する部分にシリコン、ウレタンなどの変形可能な調整具を設けると良い。第１発明のもみあげ押え部３は、フレーム２及び／又は、耳パッド１に取り付け、側頭部に当接し、頬骨弓部１５上の凹部１１に嵌る形状であり、眼鏡を保持する支点である。もみあげ押え部３の形状は、円筒形、円形、方形など限定することなく、レンズ枠やフレーム２のデザインにマッチした様々な形状にできる。
【００３８】
頭髪は脳や頭皮を衝撃やケガから守るクッションの役割をしている。髪の毛の中に入り込んだ、もみあげ押え部３のずれを防止するためには、もみあげ押え部３を確実に頬骨弓部１５上の凹部１４に嵌め込むことはもとより、耳パッド１を側頭部に当接させて、耳の耳輪の前端に当接させる。さらに、モダン２０を耳輪と側頭部の間の耳介側頭溝に確実に嵌め込み、モダン２０の後方は上方に傾斜させて内側に曲げ、側頭部に強く当接させ前方への移動を阻止することが重要である。よって、もみあげ押え部３から耳パッド１とモダン２０まで連結した保持部は、側頭部側の面で最大限挟持させることで眼鏡を確実に保持することができる。
【００３９】
鼻パッドを取り付けた眼鏡は、鼻パッドで眼鏡を止めているので、フレーム２の挟持力が弱くても良い。しかし、本発明はフレーム２の挟持力で眼鏡を保持しているので、フレーム２には眼鏡を保持するだけの挟持力が必要である。そのためには、フレーム２の挟持力を強くするか、又はもみあげ押え部３や耳パッド１やモダン２０をフレーム２の内側に設けることが重要である。
【００４０】
第１発明の眼鏡に取り付けた耳パッドともみあげ押え部３は、耳より外側に突出することなく、フレーム２と平行して取り付けられたシンプルな形状である。もみあげ押え部３と耳パッド１が接している側頭部には、髪の毛が生えているので、髪の毛の多い人はそれらを隠すことができる。特に女性の場合、外観から眼鏡を保持している方法が見えないので、眼鏡だけがスッキリ見える。
【００４１】
眼鏡を装着する方法は、従来の眼鏡をかける方法と同様に、左右のフレーム２を持ち、フレーム２を少し外側に開けた状態で、モダン２０を地肌に沿わせながら、後方に押し込んでいけば良い。髪の毛に絡むことはなく着脱は容易である。
【００４２】
本発明で言う眼鏡は、度つき眼鏡、伊達メガネ、老眼鏡、ＴＶ・映画用３Ｄメガネ、サングラス、スポーツサングラス、カメラを取り付けたメガネ、拡大鏡を付けたメガネ、ライトを付けたメガネ、剣道用メガネ、ウエアラブル機器用メガネ、スクリーンに表示される画像を観察するための画像観察用メガネ、拡張現実（ＡＲ）機能を備えたメガネ、手術用メガネ等である。
【００４３】
以下の図では、第１発明の構成部分と同様な部分については、その説明を省略又は簡略化し、第１発明と異なる部分の実施形態について説明する。
【実施例２】
【００４４】
第２発明の眼鏡は、前記耳パッド１及び／又は、前記もみあげ押え部３が、前記眼鏡のフレーム２に対し、着脱自在であることを特徴としている。
【００４５】
図３（ａ）は第２発明の耳パッド１ともみあげ押え部３に、着脱するための連結部２１を設け、フレーム２に取り付けたことを示す一実施形態の側面図である。フレーム２に嵌め込むために連結部２１の中心部に、フレーム２と平行して溝を設けている。図３（ｂ）はもみあげ押え部３と耳パッド１を分離させ、それぞれに連結部２１を設けてフレーム２に嵌め込んだことを示す一実施形態の側面図である。矢印が示すように、耳パッド１ともみあげ押え部３の位置を前後方向に調整が可能になるので、耳パッド１を耳の上部前端に、もみあげ押え部３をもみあげ１の中の凹部１４の適宜の位置に嵌め込むことができる。
【００４６】
フレーム２に着脱自在にする形態は限定しない。連結部１２の形状を様々なフレーム２に連結、分離可能な形状にすることにより、耳パッド１及びもみあげ押え部３はすべての眼鏡に取り付け可能になる。フレーム２に耳パッド１ともみあげ押え部３を確実に固定するには、連結部２１にネジを設けてネジを締めるか、耳パッド１ともみあげ押え部３の位置が決まれば接着する方法もある。
【実施例３】
【００４７】
第３発明の眼鏡は、前記耳パッド１後方には、さらに少なくとも一本の側頭押え部４が設けられていることを特徴としている。
【００４８】
図４（ａ）は第１発明の眼鏡の耳パッド１の後端に、第３発明の側頭押え部４を取り付けたことを示す一実施形態の側面図である。従来のモダン２０は鼻パッドが取り付けられているのでフレーム２の挟持力は弱い。しかし、本発明は眼鏡を挟持力で眼鏡を保持しているので、側頭押え部４を側頭部に適宜の強さで当接するように、フレーム２を内側に曲げるか、側頭押え部４をフレーム２の内側に設けて後方を内側に曲げる必要がある。
【００４９】
図４（ｂ）は第３発明の側頭押え部４に、第２発明の耳パッド１ともみあげ押え部３と連結部２１とを取り付け、一体化したことを示す一実施形態の側面図である。図４（ｃ）は一体化した連結部２１を眼鏡のフレーム２に嵌め込んだことを示す一実施形態の側面図である。矢印が示すように、前後方向の調整が可能である。連結部２１をフレーム２に嵌め込んだとき、側頭押え部４は耳介側頭溝２３に嵌まり、挟持力の弱いモダン２０は耳の外側に出すか、邪魔であれば切り落とせば良い。図４（ｄ）は一体化した保持部の連結部２１だけを前方に設けたことを示す一実施形態の側面図である。フレーム２の挟持力が弱い場合、側頭押え部４の挟持力を最大限生かすためである。
【実施例４】
【００５０】
第４発明の眼鏡は、前記耳パッド１及び／又は、前記もみあげ押え部３が、棒状６に又は、櫛状７に又は、輪状８に押える部材であることを特徴としている。
【実施例５】
【００５１】
第５発明の眼鏡は、前記側頭押え部４が、棒状６に又は、櫛状７に又は、輪状８に押える部材であることを特徴としている。
【００５２】
図５（ａ）は耳パッド１及びもみあげ押え部３及び側頭押え部４の形状がＵ字状のヘアピン状５であることを示す一実施例の側面図である。弾力性を有するヘアピン状５にすることにより、頭髪の中に入り易く、地肌にフィットする。図５（ｂ）はもみあげ押え部３及び側頭押え部４の形状が棒状６であることを示す一実施例の側面図である。もみあげ押え部３はフレーム２から下方に延設し、さらに後方に伸ばしている。棒状６は横長の当接面により、強い保持力が生じて安定して保持できる。
【００５３】
図５（ｃ）は第５発明のもみあげ押え部３及び側頭押え部４の形状が櫛状７であることを示す一実施例の側面図である。櫛状７は頭髪をすくことができるので頭髪の中に入り易い。図５（ｄ）は第５発明のもみあげ押え部３及び側頭押え部４の形状が輪状８であることを示す一実施例の側面図である。輪状８は一部分隙間を設けることも可能であり、髪の毛を押えて眼鏡を保持することができる。もみあげ押え部３や側頭押え部４の形状は、様々の人の頭髪の形状や髪質に対応させるために、様々な形状を組み合わせることができる。
【実施例６】
【００５４】
第６発明の眼鏡は、前記耳パッド１及び／又は、前記もみあげ押え部３に、髪の間に分け入って地肌に接する複数の突起部９が設けられていることを特徴としている。
【００５５】
図６（ａ）は第６発明の半球状の突起部９を、耳パッド１及びもみあげ押え部３に設けたことを示す一実施例の側面図である。図６（ｂ）は円柱に形成された突起部９を櫛状７に設けたことを示す一実施例の側面図である。図６（ｃ）は耳パッド１とびもみあげ押え部３を分離し、側頭押え部４に突起部９を設けたことを示す一実施例の側面図である。図６（ｄ）は輪状８のもみあげ押え部３と側頭押え部４に、突起部９を設けたことを示す一実施例の側面図である。突起部９は保持力を補助する適宜の場所に設ければ良い。
【実施例７】
【００５６】
第７発明の眼鏡は、前記側頭押え部４に、髪の間に分け入って地肌に接する複数の突起部９が設けられていることを特徴としている。
【００５７】
図６（ｃ）は耳パッド１とびもみあげ押え部３を分離し、側頭押え部４に突起部９を設けたことを示す一実施例の側面図である。図６（ｄ）は輪状８のもみあげ押え部３と側頭押え部４に、突起部９を設けたことを示す一実施例の側面図である。突起部９は保持力を補助する適宜の場所に設ければ良い。
【００５８】
人の頭部の形状やもみあげ３の生え方は様々であり、もみあげ１の中にある頬骨弓部１５上の凹部１４の地肌に接して保持するために、複数の僅かに突出した突起部９は装着感に影響することはなく、突起部６が地肌に接しても髪の毛が緩衝材となり、接触痕が残ることはない。
【実施例８】
【００５９】
第８発明の眼鏡は、前記耳パッド１及び／又は、前記もみあげ押え部３のそれぞれの地肌に接する部位に、ラバー材１０が設けられていることを特徴としている。
【実施例９】
【００６０】
第９発明の眼鏡は、前記側頭押え部４の地肌に接する部位に、ラバー材１０が設けられていることを特徴としている。
【００６１】
図７（ａ）の斜線の部分はもみあげ押え部３及び耳パッド１及び側頭押え部４が地肌に接する面にラバー材１０を設けたことを示す一実施形態の側面図である。頭髪との密着度が増して保持力が向上する。図７（ｂ）の斜線の部分は耳パッド１及びもみあげ押え部３及び側頭押え部４に取り付けた突起部９の表面と、地肌に接する面とにラバー材１０を設けたことを示す一実施形態の側面図である。突起部９の表面を覆うことにより保持力が向上する。耳パッド１及びもみあげ押え部３及び側頭押え部４が地肌に接する面は滑らない部材、粘着性の部材として、シリコン、ウレタン、アクリルなどのラバー材を使用することで地肌への密着度が向上する。また、人肌のように柔軟な部材であるエラストマーゲル状ウレタンや肌の温度で変形する樹脂も適している。
【実施例１０】
【００６２】
第１０発明の眼鏡は、前記耳パッド１及び／又は、前記もみあげ押え部３の材質がエラストマーからなることを特徴としている。
【実施例１１】
【００６３】
第１１発明の眼鏡は、前記側頭押え部４の材質がエラストマーからなることを特徴としている。
【００６４】
図８（ａ）は耳パッド１ともみあげ押え部３と側頭押え部４とフレーム２とを一体化した接続部又は全体に、可塑性を有する部材１２を設けたことを示す一実施例の側面図であり、図８（ｂ）は上面図である。接続部又は、全体に可塑性を有する部材１２を設けることにより、矢印が示すように、レンズ部や保持部を上下方向や水平方向に角度の修正ができる。金属を挿入した樹脂や金属にすることにより、一定以上の力を加えて側頭部に当接する角度を、三次元的に変更することができる。
【００６５】
図８（ｃ）はもみあげ押え部３を耳パッド１から分離し、もみあげ押え部３をフレーム２と一体化した接続部又は全体に、可塑性を有する部材１２を設けたことを示す一実施例の側面図であり、図８（ｄ）は上面図である。可塑性を有する部材１２を設けることにより、矢印が示すように、耳パッド１を耳輪の前端に当接させること、もみあげ押え部３を側頭部の凹部１１に嵌めること、レンズ部を正しい位置に調整するために、前後方向や左右方向や上下方向に修正することができる。
【００６６】
図９（ａ）は耳パッド１及びもみあげ押え部３及び側頭押え部４を一体化した保持部に関節１６を設け、フレーム２に対して、矢印が示すように上下方向に回動可能に取り付けたことを示す一実施例の側面図である。図９（ｂ）は矢印が示すように、耳パッド１及びもみあげ押え部３及び側頭押え部４を分離して関節１６を設け、フレーム２に対して、各々別々に上下方向に回動可能に取り付けたことを示す一実施例の側面図である。一定以上の力で保持部を動かして、微妙に上下移動させることにより、レンズ部の位置を修正することが可能である。長時間眼鏡をかけている時、徐々にレンズ部が下がる場合にレンズ部の位置を修正することが可能になる。眼鏡を上方に回動させて前頭部上に退避させることもできる。
【００６７】
図９（ｃ）は耳パッド１及びもみあげ押え部３及び側頭押え部４を一体化した保持部に関節１６を設け、フレーム２に対して、矢印が示すように水平方向に回動可能に取り付けたことを示す一実施例の上面図である。図９（ｄ）は耳パッド１及びもみあげ押え部３を一体化して、側頭押え部４を分離して２箇所に関節１６を設け、フレーム２に対して、各々別に水平方向に回動可能に取り付けたことを示す一実施例の上面図である。矢印が示すように、側頭部にフィットさせることができる。
【００６８】
第１０発明の耳パッド１及びもみあげ押え部３及び側頭押え部４の材質がエラストマーからなる場合は、もみあげ押え部３及び側頭押え部４は柔軟性に優れている。被装着者の側頭部に合わせて、適宜の挟持力で当接するので、フィット感が良い。もみあげ押え部３及び側頭押え部４に金属芯を挿入した場合、所定の形状を維持することができる。
【００６９】
本発明のもみあげ押え部３及び側頭押え部４の材質は、シリコンゴム、合成ゴム、天然ゴム、ウレタンゴム、フッ素ゴムなどの熱硬化性エラストマーである。また、熱可塑性エラストマーとして、スチレン系、塩ビ系、オレフィン系、ウレタン系、アミド系などがある。熱可塑性樹脂としては、アクリル樹脂、ＡＢＳ樹脂、ポリカーボネート、ポリプロピレン、ポリ塩化ビニル、ポリスチレン、ポリ酢酸ビニル、ポリウレタン、テフロン、ＡＳ樹脂、ポリアミド、ポリアセタール、ポリエチレン、ポリエステル等である。
【００７０】
図１０は耳パッド１及びもみあげ押え部３及び側頭押え部４の材質がヘアピン１３であることを示す一実施例の側面図である。ヘアピン１３は頭髪の中に入り込む素材として最も適している。図１０（ａ）は柔軟性に優れたU字状のヘアピン１３をフレーム２から下方に向けて取り付けていることを示す一実施例の側面図である。被装着者の側頭部に合わせて、適宜の挟持力で当接するので、凹部１４に入り易くフィット感が良い。側頭押え部４も同様である。図１０（ｂ）はU字状のヘアピン１３の先端が後方に向けて設けているので、髪の毛の中に入り易いことを示す一実施例の側面図である。図１０（ｃ）はヘアピン１３を前方に向けて設けているので、眼鏡がスムーズにかけられることを示す一実施例の側面図である。図１０（ｄ）は眼鏡の細いフレーム２に、細いヘアピン１３を後方に向けてもみあげ押え部３に設け、耳パッド１は下方に向けて設け、側頭押え部４は後方上方に向けて設けていることを示す一実施例の側面図である。細いヘアピン１３の先端には、緩衝材を設けている。最もシンプルな眼鏡となる。
【実施例１２】
【００７１】
第１２発明の眼鏡は、少なくとも頭頂部と顎１８を押える側頭挟持部１４が、前記フレーム２を架橋して、前記側頭押え部１４に着脱自在に取り付けられていることを特徴としている。
【００７２】
図１１（ａ）は第１２発明の側頭挟持部１４−１をフレーム２に取り付け、顎１８で押えていることを示す一実施形態の側面図である。側頭挟持部１４−１は顎１８に接して後方への回転モーメントを相殺している。重い眼鏡や機器の取り付け可能である。図１１（ｂ）は第１２発明の側頭挟持部１４−２をもみあげ押え部３に取り付け、前頭部を押えていることを示す一実施形態の側面図である。側頭挟持部１４−２は前頭部を跨いで連結しているので、女性の場合、前方から見ると髪の毛の上からヘアーバンドをしているように見える。ブリッジのない眼鏡にすることができる。
【００７３】
図１１（ｃ）は第１２発明の側頭挟持部１４−３を耳パッド１に取り付け、頭頂部１７を押えていることを示す一実施形態の側面図である。側頭挟持部１４−３は頭頂部１７を跨いで連結しているので、保持することや挟持する力が左右に分割され、左右のバランスを良くして側頭部にフィットする。図１１（ｄ）は第１２発明の側頭挟持部１４−４をモダン２０の後端部に取り付け、後頭部を押えていることを示す一実施形態の側面図である。側頭挟持部１４−４はモダン２０に連結して、後頭部を跨いで設けているので、前後方向のバランスが良く保持できる。ブリッジのない眼鏡にすることができる。
【００７４】
側頭挟持部１４−１〜４は眼鏡以外の使用目的に応じた機器などを保持するための挟持力、保持力の補助ができる。側頭挟持部１４−１〜４の材質は弾性体で形成され、長期間継続して使用できるように、適宜の強さに調整することができる。取り付け部に設けた関節１６により、眼鏡や機器などの使用目的に応じた取り付け角度の調整が可能である。
【実施例１３】
【００７５】
第１３発明の眼鏡は、前記眼鏡に、双眼鏡３０、顕微鏡、ヒアラブル端末３１、ウエアラブル機器３２、耳つぼ押え具３５、骨伝導補聴器３６、マスク係止具１９、アクセサリー３７の何れかが取り付けられていることを特徴としている。
【００７６】
図１２（ａ）は第１３発明の双眼鏡３０をかけるために、側頭挟持部１４−１が顎１６の前面に当接するようにフレーム２に連結し、側頭押え部４を長くしたことを示す一実施形態の側面図である。この形態はメガネ型の顕微鏡、ＶＲ，ＡＲ、ＭＲ用としても使用できる。これらの機器の着脱が前面でできる。図１２（ｂ）は第１３発明のヒアラブル端末３１を耳の上部裏側のフレーム２に取り付け、イヤホン３４をもみあげ押え部３から耳の中に延設したことを示す一実施形態の側面図である。眼鏡と一体化したヒアラブル端末３１となる。図１２（ｃ)は第１３発明の眼鏡をウエアラブル機器３３にするために、レンズ部にディスプレイ３２を取り付け、フレーム２にバッテリー、制御機器、通信機器を設けたことを示す一実施形態の側面図である。鼻に負担のかからない眼鏡と一体化したウエアラブル機器３３となる。
【００７７】
図１２（ｄ)は耳つぼ押え具３５をもみあげ押え部３に設け、耳つぼの和寥２４、起点、角孫などに当接させて、耳ツボを刺激することにより耳つぼ効果があることを示す一実施形態の側面図である。図１２（ｅ)は骨伝導補聴器３６をもみあげ押え部３の周縁に設けたことを示す一実施形態の側面図である。図１２（ｆ)は眼鏡の側頭押え部３に係止具１９を取り付けたことを示す一実施形態の側面図である。マスクの紐を係止具１９にかけることにより、長時間マスクをかけた時に、耳の痛さが緩和される。図１２（ｂ）はアクセサリー３７をもみあげ押え部３に取り付けたことを示す一実施形態の側面図である。耳朶の負担が軽減される。
【符号の説明】
【００７８】
１    耳パッド
２    フレーム
３    もみあげ押え部
４    側頭押え部
５    ヘアピン状
６    棒状
７    櫛状
８    輪状
９    突起部
１０  ラバー材
１１  凹部
１２  可塑性を有する部材
１３  ヘアピン
１４  側頭挟持部
１５  頬骨弓部  
１６  関節
１７  頭頂部
１８  顎
１９  係止具
２０  モダン
２１  連結部
２２  もみあげ
２３  耳介側頭溝
２４  和寥
３０  双眼鏡
３１  ヒアラブル端末
３２  ディスプレイ
３３  ウエアラブル機器
３４  イヤホン
３５  耳つぼ押え具
３６  骨伝導機器
３７  アクセサリー
【手続補正２】
【補正対象書類名】特許請求の範囲
【補正対象項目名】全文
【補正方法】変更
【補正の内容】
【特許請求の範囲】
【請求項１】
眼鏡を装着したときに、耳の上部前端にフレームより外側に突出して当接し、前記眼鏡の後方への移動を阻止する耳パッドと、前記眼鏡のフレーム下部のもみあげの中の凹部を押さえるもみあげ押え部とが、前記フレームに備えられている眼鏡。
【請求項２】
前記耳パッド及び／又は、前記もみあげ押え部が、前記眼鏡のフレームに対し、着脱自在である請求項１に記載の眼鏡。
【請求項３】
前記耳パッド後方には、さらに少なくとも一本の側頭押え部が設けられている請求項１又は２に記載の眼鏡。
【請求項４】
前記耳パッド及び／又は、前記もみあげ押え部が、棒状に又は、櫛状に又は、輪状に押える部材である請求項１又は２に記載の眼鏡。
【請求項５】
前記側頭押え部が、棒状に又は、櫛状に又は、輪状に押える部材である請求項３に記載の眼鏡。
【請求項６】
前記耳パッド及び／又は、前記もみあげ押え部に、髪の間に分け入って地肌に接する複数の突起部が設けられている請求項１又は２又は４に記載の眼鏡。
【請求項７】
前記側頭押え部に、髪の間に分け入って地肌に接する複数の突起部が設けられている請求項３又は５に記載の眼鏡。
【請求項８】
前記耳パッド及び／又は、前記もみあげ押え部のそれぞれの地肌に接する部位に、ラバー材が設けられている請求項１又は２又は４又は６に記載の眼鏡。
【請求項９】
前記側頭押え部の地肌に接する部位に、ラバー材が設けられている請求項３又は５又は７に記載の眼鏡。
【請求項１０】
前記耳パッド及び／又は、前記もみあげ押え部の材質がエラストマーからなる請求項１又は２又は４又は６又は８に記載の眼鏡。
【請求項１１】
前記側頭押え部の材質がエラストマーからなる請求項３又は５又は７又は９に記載の眼鏡。
【請求項１２】
少なくとも頭頂部と顎を押える側頭挟持部が、前記フレームを架橋して、前記側頭押え部に着脱自在に取り付けられている請求項３又は５又は７又は９又は１１に記載の眼鏡。
【請求項１３】
前記眼鏡に、双眼鏡、顕微鏡、ヒアラブル端末、ウエアラブル機器、耳つぼ押え具、骨伝導補聴器、マスク係止具、アクセサリーの何れかが取り付けられている請求項１から１２の何れかに記載の眼鏡。